(57)【特許請求の範囲】
【請求項１】
洗浄水タンクから洗浄ノズルへの流量を制御する電磁開閉弁と、洗浄水タンクから洗浄ノズルへと水を供給する送水流路を形成する送水筒を備え、該送水筒を洗浄水タンク内に立設して設け、該電磁開閉弁は弁座と該弁座の弁流通路を開閉する弁本体とを有し、弁座及び弁本体を洗浄水タンク内に収容すると共に該洗浄水タンクの出口部分で該送水筒の上端部に同弁座を設けて、該弁座の弁流通路と同洗浄水タンクの出口流通路とを洗浄ノズルへの送水流路として一体共用化してなる局部洗浄装置。
【請求項２】
洗浄水タンクから洗浄ノズルへの流量を制御する電磁開閉弁を備え、該電磁開閉弁は弁座と該弁座の弁流通路を開閉する弁本体とを有し、弁座及び弁本体を洗浄水タンク内に収容すると共に該洗浄水タンクの出口部分に同弁座を設けて、該弁座の弁流通路と同洗浄水タンクの出口流通路とを洗浄ノズルへの送水流路として一体共用化し、洗浄水タンク内に連通するバイパス入口を送水流路の途中に設け、電磁開閉弁を経由せずに洗浄水タンクから洗浄ノズルへと水を送水するバイパス流路を設けて、該送水流路とバイパス流路とを一体共用化してなる局部洗浄装置。
【請求項３】
電磁開閉弁の作動方向が上下方向でその動作方向が上から下となるように、該電磁開閉弁を洗浄水タンクに取り付けたことを特徴とする請求項１又は２記載の局部洗浄装置。
【請求項４】
弁本体を動作させるコイル及び鉄心等の電磁部品が洗浄水タンクの外部に位置するよう、該洗浄水タンクに電磁開閉弁を取り付けたことを特徴とする請求項１〜３のいずれか一つに記載の局部洗浄装置。
【請求項５】
洗浄水タンクに取付用開口部を形成し、該取付用開口部に電磁開閉弁を外側から取り付けるようになしたことを特徴とする請求項４記載の局部洗浄装置。
【請求項６】
電磁開閉弁が取り付けられない施工状態で、取付用開口部に取り付けられてこれを閉塞するカバー板を備えたことを特徴とする請求項５記載の局部洗浄装置。
【請求項７】
電磁開閉弁を経由せずに洗浄水タンクから洗浄ノズルへと水を送水するバイパス流路を設けたことを特徴とする請求項１、３〜６のいずれか一つに記載の局部洗浄装置。
【発明の詳細な説明】
【０００１】
【発明の属する技術分野】
本発明は、洗浄水量を可変調整して肛門洗浄、ビデ洗浄等の人体局部洗浄を行う局部洗浄装置に関するものである。
【０００２】
【従来の技術】
従来から、洗浄水量を可変調整して肛門洗浄、ビデ洗浄等の人体局部洗浄を行う局部洗浄装置は知られており、例えば、図１３、１４に示すような構成のものも考えられている。
【０００３】
該局部洗浄装置においては、水道元から分岐水栓15を経由し、大きなゴミ等を除去するストレーナー16、洗浄装置本体への流入水量を略一定に制限する定流量弁17を経て、洗浄動作時に同洗浄装置本体へと洗浄水を供給するために開く給水電磁弁18に配管接続されている。
【０００４】
給水電磁弁18からは、該給水電磁弁18以降の圧力が高くなると作動して洗浄装置本体の内部を保護する圧逃がし弁19を経由し、洗浄水タンク１へと配管接続されている。洗浄水タンク１では、サーミスタ等で温度検出されてシーズヒータへの電力制御（制御手段28による）が行われ、洗浄用の水が適度な温水となるように加熱・保温されて溜めおかれる。
【０００５】
洗浄水タンク１の出口からは、主水路34と一定量の洗浄水を流す分岐水路35とに分岐配管され、同主水路34には電磁開閉弁３が設けられており、その下流側で同主水路34と分岐水路35とは再び合流配管されている。そして、合流された配管は、洗浄水の流量を可変調整すると共に、肛門洗浄、ビデ洗浄の各洗浄部位に対応して使用される洗浄ノズル２を変更調整する流量切替機構22を経由し、同各洗浄ノズル２へと配管接続されており、該いずれかの洗浄ノズル２から噴出される洗浄水によって、肛門洗浄或いはビデ洗浄が選択的に行われる。
【０００６】
この場合、図１５に示すように、給水電磁弁18は洗浄動作時に開き、水道元の圧力が利用されて洗浄水は洗浄ノズル２から噴出される。流量切替機構22は、所望の洗浄水量の調整、及び、肛門洗浄或いはビデ洗浄に使用される洗浄ノズル２を切り替えることで洗浄部位の変更を行う機構である。又、圧逃がし弁19は、定流量弁17以降の内部圧力が所定値以上とならないように、該所定値以上の圧力になると開いて水を外部へ放出するものである。
【０００７】
そして、図１５に示すように、洗浄動作時に短時間で強／弱（流量の大／小）を制御するときには、電磁開閉弁３がＯＮ／ＯＦＦ制御される。このとき、電磁開閉弁３がＯＦＦ（開）状態であると、図１３に示すように、同電磁開閉弁３を有する主水路34と分岐水路35の両水路に洗浄水が流れて、強（洗浄水量大）の洗浄状態となる。又、電磁開閉弁３がＯＮ（閉）状態であると、図１４に示すように、分岐水路35にのみ洗浄水が流れて、弱（洗浄水量小）の洗浄状態となる。この場合、ＯＮ／ＯＦＦの時間は 0.1〜2 秒であり、特に、電磁開閉弁３が電磁弁であることから、 0.1秒という早いＯＮ／ＯＦＦが実現され得る。
【０００８】
【発明が解決しようとする課題】
しかしながら、上記従来の技術においては、電磁開閉弁３を有する主水路34と分岐水路35とが洗浄タンク１の外部で、該洗浄タンク１とは別に配管接続されているため、次のような問題があった。
【０００９】
すなわち、洗浄水タンク１の出口と電磁開閉弁３との間や該電磁開閉弁３のハウジングそのものに十分な水密性を付与する必要があり、配管スペースも大きく必要となって、コスト高や装置の大型化につながるという問題があった。又、この場合、流路が長くなって、電磁開閉弁３の動作時に生じる過渡的な圧力上昇が短時間で吸収されず、同電磁開閉弁３の内部或いは洗浄水タンク１の内部までもに大きな圧力が発生し、同電磁開閉弁３や洗浄水タンク１の内部に繰り返し応力が作用して、これ等に寿命劣化が起こるという問題があった。しかも、流路が長くなることで、電磁開閉弁３を有する主水路34や分岐水路35等を配管接続して組み立てる作業が複雑化し、洗浄ノズル２の先端における強／弱切替の応答性も悪くなるという問題があった。
【００１０】
本発明は、上記従来の技術における問題を悉く解決するために発明されたもので、その課題は、構造が簡単でコンパクトに納まると共に、組立性も良好で低コスト化につながり、水密性が確保されて水漏れ等の心配もなく、しかも、過渡的な圧力上昇が低減されて長寿命化が図られ、洗浄ノズルの先端における強／弱切替の応答性も向上される局部洗浄装置を提供することである。
【００１１】
【課題を解決するための手段】
本発明の請求項１、２記載の局部洗浄装置は、洗浄水タンクから洗浄ノズルへの流量を制御する電磁開閉弁を備え、該電磁開閉弁は弁座と該弁座の弁流通路を開閉する弁本体とを有するものとして構成された局部洗浄装置であって、弁座及び弁本体を洗浄水タンク内に収容すると共に該洗浄水タンクの出口部分に同弁座を設けて、該弁座の弁流通路と同洗浄水タンクの出口流通路とを洗浄ノズルへの送水流路として一体共用化してなる。
【００１２】
したがって、この場合、電磁開閉弁を構成する弁座及び弁本体が洗浄水タンク内に収容されるため、該収容される部分のハウジングとして同洗浄水タンクを共用することができ、コンパクトに納まると共に水密性も確保されて、低コスト化が図られる。しかも、洗浄水タンクの出口部分に設けられる弁座の弁流通路と同洗浄水タンクの出口流通路とが、洗浄ノズルへの送水流路として一体共用化されるため、配管接続が簡略化されて組立性が良好となり、流路が全体として短くなって、電磁開閉弁の動作時に生じる過渡的な圧力上昇が低減され、長寿命化が図られると共に、洗浄ノズルの先端における強／弱切替の応答性も向上される。
【００１３】
又、本発明の請求項１記載の局部洗浄装置は、洗浄水タンクから洗浄ノズルへと水を供給する送水筒を同洗浄水タンク内に立設して該送水筒の上端部に弁座を設け、同送水筒にて送水流路を形成したことを特徴とする。
【００１４】
したがって、この場合は特に、洗浄水タンク内に立設される送水筒の上端部に弁座が設けられて同送水筒が送水流路となるため、該送水流路内を洗浄水は略直線的に流下することになり、この部分を経由して洗浄ノズルへと至る流路が短くなって、同洗浄ノズルの先端における強／弱切替の応答性がより向上される。
又、本発明の請求項２記載の局部洗浄装置は、電磁開閉弁を経由せずに洗浄水タンクから洗浄ノズルへと水を送水するバイパス流路を設けたことを特徴とする。
したがって、この場合は特に、電磁開閉弁が動作して閉状態となっても、バイパス流路を通じて洗浄水タンクから洗浄ノズルへと送水されるため、該動作時に生じる過渡的な圧力上昇が確実に吸収されて抑えられ、同電磁開閉弁や洗浄水タンクの内圧上昇が低減される。
更に、本発明の請求項２記載の局部洗浄装置は、洗浄水タンク内に連通するバイパス入口を送水流路の途中に設けて、該送水流路とバイパス流路とを一体共用化したことを特徴とする。
したがって、この場合は特に、洗浄水タンク内に連通するバイパス入口を送水流路の途中に設けることで、該送水流路とバイパス流路とが一体共用化されるため、同洗浄水タンクにバイパス口を形成してその外部にバイパス流路を別途に配管接続する必要がなく、部品点数、組立工数の削減が図られる。しかも、バイパス流路が短くなって、電磁開閉弁のＯＮ／ＯＦＦ時間のより短縮化（短い周期での強／弱洗浄）が図られ、洗浄ノズルの先端における強／弱切替の応答性もより向上されて、洗浄時間を短くすることが可能となる。
【００１５】
本発明の請求項３記載の局部洗浄装置は、上記請求項１又は２記載の局部洗浄装置において、電磁開閉弁の作動方向が上下方向でその動作方向が上から下となるように、該電磁開閉弁を洗浄水タンクに取り付けたことを特徴とする。
【００１６】
したがって、この場合は特に、電磁開閉弁の作動方向が上下方向でその動作方向が上から下となるため、該電磁開閉弁は重力の補助を受けて速く動作し、同電磁開閉弁のＯＮ／ＯＦＦ時間のより短縮化（短い周期での強／弱洗浄）を図ることができ、洗浄ノズルの先端における強／弱切替の応答性もより向上される。
【００１７】
本発明の請求項４記載の局部洗浄装置は、上記請求項１〜３のいずれか一つに記載の局部洗浄装置において、弁本体を動作させるコイル及び鉄心等の電磁部品が洗浄水タンクの外部に位置するよう、該洗浄水タンクに電磁開閉弁を取り付けたことを特徴とする。
【００１８】
したがって、この場合は特に、弁本体を動作させるコイル及び鉄心等の電磁部品が洗浄水タンクの外部に位置するため、これ等電磁部品の絶縁性や耐食性を確保することができ、長期使用にあっても安定した性能が保持される。
【００１９】
本発明の請求項５記載の局部洗浄装置は、上記請求項４記載の局部洗浄装置において、洗浄水タンクに取付用開口部を形成し、該取付用開口部に電磁開閉弁を外側から取り付けるようになしたことを特徴とする。
【００２０】
したがって、この場合は特に、電磁開閉弁が洗浄水タンクに形成された取付用開口部に外側から取り付けられるようになっているため、該取付用開口部内に弁本体を外側から挿入し、コイル及び鉄心等の電磁部品は外側に残して、同電磁開閉弁をその一部分だけを差し込むように取り付けて簡単に組み立てることができる。
【００２１】
本発明の請求項６記載の局部洗浄装置は、上記請求項５記載の局部洗浄装置において、電磁開閉弁が取り付けられない施工状態で、取付用開口部に取り付けられてこれを閉塞するカバー板を備えたことを特徴とする。
【００２２】
したがって、この場合は特に、電磁開閉弁が取り付けられない施工状態で、取付用開口部にカバー板を取り付けてこれを閉塞することができるため、該施工状態になる商品と、電磁開閉弁が取り付けられた施工状態となる商品とで、すなわち、機能別商品間で洗浄水タンクを共用化することができる。
【００２３】
本発明の請求項７記載の局部洗浄装置は、上記請求項１、３〜６のいずれか一つに記載の局部洗浄装置において、電磁開閉弁を経由せずに洗浄水タンクから洗浄ノズルへと水を送水するバイパス流路を設けたことを特徴とする。
【００２４】
したがって、この場合は特に、電磁開閉弁が動作して閉状態となっても、バイパス流路を通じて洗浄水タンクから洗浄ノズルへと送水されるため、該動作時に生じる過渡的な圧力上昇が確実に吸収されて抑えられ、同電磁開閉弁や洗浄水タンクの内圧上昇が低減される。
【００２７】
【発明の実施の形態】
図１〜６は、本発明の請求項１〜７全てに対応する一実施形態を示し、該実施形態の局部洗浄装置は、洗浄水タンク１から洗浄ノズル２（肛門用の洗浄ノズル2a、ビデ用の洗浄ノズル2b）への流量を制御する電磁開閉弁３を備え、該電磁開閉弁３は弁座４と該弁座４の弁流通路５を開閉する弁本体６とを有しており、ＯＮ作動で閉状態となるものとして構成されたものであって、弁座４及び弁本体６を洗浄水タンク１内に収容すると共に該洗浄水タンク１の出口部分に同弁座４を設けて、該弁座４の弁流通路５と同洗浄水タンク１の出口流通路とを洗浄ノズル２への送水流路７として一体共用化してなる。
【００２８】
この場合、洗浄水タンク１から洗浄ノズル２へと水を供給する送水筒８を同洗浄水タンク１内に立設して該送水筒８の上端部に弁座４を設け、同送水筒８にて送水流路７を形成している。又、電磁開閉弁３の作動方向が上下方向でその動作方向が上から下となるように、該電磁開閉弁３を洗浄水タンク１に取り付けている。ここでは、弁本体６を動作させるコイル９及び鉄心10等の電磁部品が洗浄水タンク１の外部に位置するよう、該洗浄水タンク１に電磁開閉弁３を取り付けている。そして、洗浄水タンク１に取付用開口部11を形成し、該取付用開口部11に電磁開閉弁３を外側から取り付けるようになしている。
【００２９】
又、図１１に示すように、電磁開閉弁３が取り付けられない施工状態で、取付用開口部11に取り付けられてこれを閉塞するカバー板12を備えている。更に、電磁開閉弁３を経由せずに洗浄水タンク１から洗浄ノズル２へと水を送水するバイパス流路13を設けている。ここでは、洗浄水タンク１内に連通するバイパス入口14を送水流路７（送水筒８）の途中に設けて、該送水流路７とバイパス流路13とを一体共用化している。
【００３０】
該実施形態の局部洗浄装置においては、図２、４、６に示すように、水道元から分岐水栓15を経由し、大きなゴミ等を除去するストレーナー16、洗浄装置本体への流入水量を略一定に制限する定流量弁17を経て、洗浄動作時に同洗浄装置本体へと洗浄水を供給するために開く給水電磁弁18に配管接続されている。
【００３１】
給水電磁弁18からは、該給水電磁弁18以降の圧力が高くなると作動して洗浄装置本体の内部を保護する圧逃がし弁19（約1.5Kgf/cm2程度圧力）を経由し、洗浄水タンク１へと配管接続されている。洗浄水タンク１では、サーミスタ20で温度検出されてシーズヒータ21への電力制御（制御手段28による）が行われ、洗浄用の水が適度な温水となるように加熱・保温されて溜めおかれる。
【００３２】
洗浄水タンク１の上壁側端部に取り付けられた電磁開閉弁３からは、送水流路７（送水筒８）或いはバイパス流路13を経由して、流量切替機構22へと連通接続されている。流量切替機構22では、洗浄水の流量が可変調整されると共に、肛門洗浄、ビデ洗浄の各洗浄部位に対応して使用される洗浄ノズル2a、2bが変更調整される。流量切替機構22には各洗浄ノズル2a、2bが連結されており、該いずれかの洗浄ノズル2a、2bから噴出される洗浄水によって、肛門洗浄或いはビデ洗浄が選択的に行われる。なお、図２において、23は給水ホース、24はフロートスイッチである。
【００３３】
この場合、図１５に示すように、給水電磁弁18は洗浄動作時に開き、水道元の圧力が利用されて洗浄水は洗浄ノズル２から噴出される。流量切替機構22は、所望の洗浄水量の調整、及び、肛門洗浄或いはビデ洗浄に使用される洗浄ノズル２を切り替えることで洗浄部位の変更を行う機構である。又、圧逃がし弁19は、定流量弁17以降の内部圧力（洗浄水タンク１や電磁開閉弁３や洗浄ノズル２等の流路内部の圧力）が所定値以上とならないように、該所定値以上の圧力になると開いて水を外部へ放出するものである。
【００３４】
このような構成において、電磁開閉弁３そのものは、洗浄水タンク１内で該電磁開閉弁３の動作にて開閉動作する弁流通路５を有した弁座４から洗浄水タンク１の外部に出るまでの送水流路７と、該送水流路７（送水筒８）の上端部分に形成されたバイパス入口14から同洗浄水タンク１の外部に出るまでのバイパス流路13と、を備えていることになる。この場合、送水流路７とバイパス流路13とは一体共用化されており、該バイパス流路13が電磁開閉弁３の動作に関係なく常に開状態となる。
【００３５】
そして、図１５に示すように、洗浄動作時に短時間で強／弱（流量の大／小）を制御するときには、電磁開閉弁３がＯＮ／ＯＦＦ制御される。このとき、電磁開閉弁３がＯＦＦ（開）状態であると、図３、４に示されるように、弁流通路５からの送水流路７とバイパス入口14からのバイパス流路13の両水路に洗浄水が流れて、強（洗浄水量大）の洗浄状態となる。又、電磁開閉弁３がＯＮ（閉）状態であると、図５、６に示されるように、バイパス入口14からのバイパス流路13にのみ洗浄水が流れて、弱（洗浄水量小）の洗浄状態となる。
【００３６】
このような電磁開閉弁３のＯＮ／ＯＦＦに際しては、次のように動作するものである。電圧が印加されるとプランジャー25が摺動ガイド26に沿って作動し、弁本体６の弁シートが弁座４の弁流通路５を閉じて、電磁開閉弁３はＯＮ（閉）状態となる。又、電圧が除去されるとスプリング27の復元力によってプランジャー25が復帰し、弁本体６の弁シートが弁座４から離れて弁流通路５が開き、電磁開閉弁３はＯＦＦ（開）状態となる。この場合、ＯＮ／ＯＦＦの時間は 0.1〜2 秒であり、特に、電磁開閉弁３が電磁弁であることから、 0.1秒という早いＯＮ／ＯＦＦが実現される。
【００３７】
又、上記のような電磁開閉弁３のＯＮ／ＯＦＦ動作や、給水電磁弁18、シーズヒータ21、流量切替機構22等のＯＮ／ＯＦＦは、制御手段28によって自動制御されるものである。なお、図９は、該実施形態の局部洗浄装置の全体構造を詳細に示す断面図であり、図１０は、同局部洗浄装置の全体構造を詳細に示す切欠断面図であり、図１０において、29は脱臭装置である。又、図１において、30は防音シート、31は突起、32はコイル端子、33はＯリングである。ここで、プランジャー25の上下両端に配設された防音シート30は、同プランジャー25が摺動ガイド26の内面やその反対側の磁極部面に当接する際の衝撃を吸収し、その際、同防音シート30が対向面に密着することを突起31が防止して、電磁開閉弁３の作動時における作業音は効果的に低減される。
【００３８】
又、図７は、電磁開閉弁３の作動速さ（強／弱の切り替え速さ）と洗浄力（残存率）との関係を示している。ここでは、作動速さの早い方（ＯＮ／ＯＦＦ時間が 0.2／0.2 秒）が、作動速さの遅い方（ＯＮ／ＯＦＦ時間が 1.0／1.0 秒）よりも、残存率が小さくなっている（洗浄力が高まっている）ことから、洗浄時間を短くできることが理解される。又、図８は、電磁開閉弁３の開閉動作と洗浄ノズル２の先端における強／弱変化及び流路内圧の変化との関係を、バイパス流路13を設けた場合（Ａ）と設けない場合（Ｂ）との比較でもって示している。ここでは、バイパス流路13を設けた場合（Ａ）の方が設けない場合（Ｂ）よりも、洗浄ノズル２の先端における強／弱の変化が早くて、流路内部での圧力変化も小さいことが理解される。
【００３９】
したがって、該実施形態の局部洗浄装置においては、電磁開閉弁３を構成する弁座４及び弁本体６が洗浄水タンク１内に収容され、該収容される部分のハウジングとして同洗浄水タンク１が共用されることになって、コンパクトに納まると共に水密性も確保され、低コスト化を図ることができている。しかも、洗浄水タンク１の出口部分に設けられる弁座４の弁流通路５と同洗浄水タンク１の出口流通路とが、洗浄ノズル２への送水流路７として一体共用化されているため、配管接続が簡略化されて組立性が良好となり、流路が全体として短くなって、電磁開閉弁３の動作時に生じる過渡的な圧力上昇が低減され、長寿命化が図られると共に、洗浄ノズル２の先端における強／弱切替の応答性も向上されている。
【００４０】
又、該実施形態の局部洗浄装置においては、洗浄水タンク１内に立設される送水筒８の上端部に弁座４が設けられて同送水筒８が送水流路７となるため、該送水流路７内を洗浄水は略直線的に流下することになり、この部分を経由して洗浄ノズル２へと至る流路が短くなって、同洗浄ノズル２の先端における強／弱切替の応答性がより向上されている。しかも、この場合、電磁開閉弁３の作動方向が上下方向でその動作方向が上から下となっているため、該電磁開閉弁３は重力の補助を受けて速く動作し、同電磁開閉弁３のＯＮ／ＯＦＦ時間のより短縮化（短い周期での強／弱洗浄）を図ることができ、洗浄ノズル２の先端における強／弱切替の応答性もより向上されている。
【００４１】
又、該実施形態の局部洗浄装置においては、弁本体６を動作させるコイル９及び鉄心10等の電磁部品が洗浄水タンク１の外部に位置するため、これ等電磁部品の絶縁性や耐食性を確保することができ、長期使用にあっても安定した性能が保持される。しかも、この場合、電磁開閉弁３が洗浄水タンク１に形成された取付用開口部11に外側から取り付けられるようになっているため、該取付用開口部11内に弁本体６を外側から挿入し、コイル９及び鉄心10等の電磁部品は外側に残して、同電磁開閉弁３をその一部分だけを差し込むように取り付けて簡単に組み立てることができる。更に、図１１に示す如く、電磁開閉弁３が取り付けられない施工状態で、取付用開口部11にカバー板12を取り付けてこれを閉塞することができるため、該施工状態になる商品と、上記のように電磁開閉弁３が取り付けられた施工状態となる商品とで、すなわち、機能別商品間で洗浄水タンク１を共用化することができる。
【００４２】
又、該実施形態の局部洗浄装置においては、電磁開閉弁３の動作にて急激に洗浄水量を可変制御するとき、図３、４に示すように、電磁開閉弁３が動作して閉状態となっても、バイパス流路13を通じ洗浄水タンク１から洗浄ノズル２へと送水されて洗浄水量が全くゼロにはならないため、該動作時に生じる過渡的な圧力上昇が確実に吸収されて抑えられ、同電磁開閉弁３や洗浄水タンク１の内圧上昇が低減される。更に、この場合、洗浄水タンク１内に連通するバイパス入口14を送水流路７の途中に設けることで、該送水流路７とバイパス流路13とが一体共用化されているため、同洗浄水タンク１にバイパス口14を形成してその外部にバイパス流路13を別途に配管接続する必要がなく、部品点数、組立工数の削減が図られている。しかも、バイパス流路13が短くなって、電磁開閉弁３のＯＮ／ＯＦＦ時間のより短縮化（短い周期での強／弱洗浄）が図られ、洗浄ノズル２の先端における強／弱切替の応答性もより向上されて、洗浄時間を短くすることが可能となっている。
【００４３】
図１２は、本発明の請求項１、３〜７に対応する別の実施形態を示し、該実施形態の局部洗浄装置においては、バイパス流路13が送水流路７とは別流路として、洗浄水タンク１の外壁に沿って上下方向に形成されている。なお、それ以外は上記実施形態と同様に構成されており、請求項２に係る以外の作用効果が上記実施形態におけると同様に奏される。
【００４４】
【発明の効果】
上述の如く、本発明の請求項１、２記載の局部洗浄装置においては、電磁開閉弁のハウジングとして洗浄水タンクを共用することができ、水密性も確保されて低コスト化が図られ、配管接続が簡略化されて組立性が良好となり、流路が短くなることで、圧力上昇が低減されて長寿命化が図られると共に、強／弱切替の応答性も向上される。
【００４５】
又、本発明の請求項１記載の局部洗浄装置においては、特に、送水流路内を洗浄水が略直線的に流下することになって洗浄ノズルへの流路は短くなり、該洗浄ノズルの先端における強／弱切替の応答性がより向上される。
又、本発明の請求項２記載の局部洗浄装置においては、特に、電磁開閉弁が閉状態となってもバイパス流路を通じ送水されることで、圧力上昇が確実に抑えられ、同電磁開閉弁や洗浄水タンクの内圧上昇も低減される。
更に、本発明の請求項２記載の局部洗浄装置においては、特に、バイパス流路を別途に配管接続する必要がなく、部品点数、組立工数の削減が図られ、バイパス流路が短くなることで、短い周期での強／弱洗浄が図られ、強／弱切替の応答性もより向上されて、洗浄時間を短くすることができる。
【００４６】
又、本発明の請求項３記載の局部洗浄装置においては、特に、電磁開閉弁が重力により速く動作することで、短い周期での強／弱洗浄が図られ、強／弱切替の応答性もより向上される。
【００４７】
又、本発明の請求項４記載の局部洗浄装置においては、特に、電磁部品が洗浄水タンクの外部に位置してその絶縁性や耐食性が確保され、長期使用にあっても安定した性能が保持される。
【００４８】
又、本発明の請求項５記載の局部洗浄装置においては、特に、電磁開閉弁を洗浄水タンクに形成された取付用開口部に外側から差し込むように取り付けて、簡単に組み立てることができる。
【００４９】
又、本発明の請求項６記載の局部洗浄装置においては、特に、電磁開閉弁が取り付けられる商品、取り付けられない商品の機能別商品間で、洗浄水タンクを共用化することができる。
【００５０】
又、本発明の請求項７記載の局部洗浄装置においては、特に、電磁開閉弁が閉状態となってもバイパス流路を通じ送水されることで、圧力上昇が確実に抑えられ、同電磁開閉弁や洗浄水タンクの内圧上昇も低減される。
【図面の簡単な説明】
【図１】本発明の一実施形態である局部洗浄装置を示す要部断面図。
【図２】同局部洗浄装置の流路全体を示す概略断面図。
【図３】同局部洗浄装置において電磁開閉弁開状態での流路を示す要部断面図。
【図４】同局部洗浄装置において電磁開閉弁開状態での流路全体を示す概略構成図。
【図５】同局部洗浄装置において電磁開閉弁閉状態での流路を示す要部断面図。
【図６】同局部洗浄装置において電磁開閉弁閉状態での流路全体を示す概略構成図。
【図７】強／弱（ＯＮ／ＯＦＦ）の切り替え速さと洗浄力（残存率）との関係を示すグラフ。
【図８】電磁開閉弁の開閉動作と洗浄ノズル先端での強／弱変化及び流路内圧の変化との関係を、バイパス流路を設けた場合（Ａ）と設けない場合（Ｂ）とで比較して示したグラフ。
【図９】同局部洗浄装置の全体構造を示す断面図。
【図１０】同局部洗浄装置の全体構造を示す切欠断面図。
【図１１】同局部洗浄装置において電磁開閉弁が取り付けられない施工状態を示す要部断面図。
【図１２】別の実施形態である局部洗浄装置を示す要部断面図。
【図１３】従来例である局部洗浄装置において電磁開閉弁開状態での流路全体を示す概略構成図。
【図１４】同局部洗浄装置において電磁開閉弁閉状態での流路全体を示す概略構成図。
【図１５】給水電磁弁及び開閉電磁弁の開閉動作と洗浄水量の強／弱変化との関係を示す概略シーケンスチャート。
【符号の説明】
１  洗浄水タンク
２  洗浄ノズル
2a  肛門用の洗浄ノズル
2b  ビデ用の洗浄ノズル
３  電磁開閉弁
４  弁座
５  弁流通路
６  弁本体
７  送水流路
８  送水筒
９  コイル
10  鉄心
11  取付用開口部
12  カバー板
13  バイパス流路
14  バイパス入口
【図１】
0003876579.tif 000002
【図２】
0003876579.tif 000003
【図３】
0003876579.tif 000004
【図４】
0003876579.tif 000005
【図５】
0003876579.tif 000006
【図６】
0003876579.tif 000007
【図７】
0003876579.tif 000008
【図８】
0003876579.tif 000009
【図９】
0003876579.tif 000010
【図１０】
0003876579.tif 000011
【図１１】
0003876579.tif 000012
【図１２】
0003876579.tif 000013
【図１３】
0003876579.tif 000014
【図１４】
0003876579.tif 000015
【図１５】
0003876579.tif 000016